(57)【要約】【課題】裏紙への対応及び用紙が長期間未使用になることの抑制が実現でき、適正な種類の用紙に印刷することが可能な画像形成装置を提供する。【解決手段】画像形成装置１は印刷部６、給紙部７、用紙情報提示紙７ｐ、用紙情報読取部７ｒ及び制御部２０を備える。印刷部６は印刷を実行する。給紙部７は印刷前の用紙を収容する。用紙情報提示紙７ｐは給紙部７に収容される用紙束Ｐｂの先頭に積載されて用紙束Ｐｂを構成する用紙に係る用紙情報を含む。用紙情報読取部７ｒは用紙情報提示紙７ｐが提示する用紙情報を読み取る。制御部２０は用紙情報読取部７ｒが読み取った用紙情報に基づいて給紙部７からの用紙の送り出しを制御する。【選択図】図６
2018183908.tif 000002
【特許請求の範囲】
【請求項１】
印刷を実行する印刷部と、
印刷前の用紙を収容する給紙部と、
前記給紙部に収容される用紙束の先頭に積載されて前記用紙束を構成する用紙に係る用紙情報を含む用紙情報提示紙と、
前記用紙情報提示紙が提示する前記用紙情報を読み取る用紙情報読取部と、
前記用紙情報読取部が読み取った前記用紙情報に基づいて前記給紙部からの用紙の送り出しを制御する制御部と、
を備えることを特徴とする画像形成装置。
【請求項２】
前記制御部は、前記用紙情報提示紙が積載された前記用紙束の用紙が印刷のために選択された場合に、前記用紙情報提示紙自体には印刷を実行させず、排出させることを特徴とする請求項１に記載の画像形成装置。
【請求項３】
前記用紙情報が、前記用紙情報提示紙の色によって提示されることを特徴とする請求項１または請求項２に記載の画像形成装置。
【請求項４】
前記用紙情報が、前記用紙情報提示紙に描画された画像によって提示されることを特徴とする請求項１または請求項２に記載の画像形成装置。
【請求項５】
前記用紙情報を表す前記画像が二次元コードであることを特徴とする請求項４に記載の画像形成装置。
【請求項６】
前記用紙情報が、前記用紙情報提示紙に記載されたテキストデータによって提示されることを特徴とする請求項１または請求項２に記載の画像形成装置。
【請求項７】
前記用紙情報が裏紙という用紙種類を含み、
両面印刷を実行する場合に、前記制御部は、裏紙という当該用紙情報を含む前記用紙情報提示紙が積載された前記用紙束の用紙を前記給紙部から送り出さないことを特徴とする請求項１から請求項６のいずれかに記載の画像形成装置。
【請求項８】
前記用紙情報が用紙の使用開始日を含み、
用紙の使用開始日という当該用紙情報を含む前記用紙情報提示紙が積載された同一種類の前記用紙束が複数存在する場合に、前記制御部は、それらの用紙の使用開始日を比較し、使用開始日が最も古い前記用紙束の用紙から順に前記給紙部から送り出すことを特徴とする請求項１から請求項６のいずれかに記載の画像形成装置。
【発明の詳細な説明】
【技術分野】
【０００１】
本発明は、画像形成装置に関する。
【背景技術】
【０００２】
複写機などの画像形成装置において、装置自体が収容する用紙（記録媒体）の種類を判定し、ユーザーが希望する種類の用紙に印刷する技術が注目されている。このような画像形成装置に係る従来技術の例が特許文献１に開示されている。
【０００３】
特許文献１に記載された従来の画像形成装置は給紙カセットに収納された記録紙の種類を検知するカラーセンサーと、当該カラーセンサーからの出力に基づいて記録紙の種類を判定する制御部とを備える。この画像形成装置は、指定ページの複写に用いる記録紙の種類が選択されたときに、未指定のページを優先順位１位の種類の記録紙に複写する。これにより、多段給紙カセットの記録紙のサイズ、紙質、色等を識別し、複数ページの原稿のうち指定ページの複写に用いる記録紙の種類を予め選択しておくことで、希望通りの用紙種類を含んだ複写を自動的に実現することができる。
【先行技術文献】
【特許文献】
【０００４】
【特許文献１】特開平７−１８１７５６号公報
【発明の概要】
【発明が解決しようとする課題】
【０００５】
しかしながら、特許文献１に係る従来技術では記録紙が裏紙である場合や、記録紙が長期間未使用にされた場合、同一サイズの記録紙として異なる紙質の記録紙が積載された場合等に対応することができないことが課題であった。これにより、両面印刷において裏紙を使用したり、記録紙が古くなって劣化してしまったり、１回のジョブで生成される複数ページの印刷物の途中で紙質が変わってしまったりするといった不具合が生じる虞があることが懸念された。
【０００６】
本発明は、上記の点に鑑みなされたものであり、裏紙への対応、用紙が長期間未使用になることの抑制、複数ページの印刷物における紙質の途中変異の抑制等を実現することができ、適正な種類の用紙に印刷することが可能な画像形成装置を提供することを目的とする。
【課題を解決するための手段】
【０００７】
上記の課題を解決するため、本発明の画像形成装置は印刷部、給紙部、用紙情報提示紙、用紙情報読取部及び制御部を備える。前記印刷部は印刷を実行する。前記給紙部は印刷前の用紙を収容する。前記用紙情報提示紙は前記給紙部に収容される用紙束の先頭に積載されて前記用紙束を構成する用紙に係る用紙情報を含む。前記用紙情報読取部は前記用紙情報提示紙が提示する前記用紙情報を読み取る。前記制御部は前記用紙情報読取部が読み取った前記用紙情報に基づいて前記給紙部からの用紙の送り出しを制御する。
【発明の効果】
【０００８】
本発明の構成によれば、用紙情報提示紙が提示する用紙情報から、用紙情報提示紙に続く用紙束の用紙種類を把握することができる。これにより、例えば用紙束が裏紙であることや、用紙束の使用開始日を知ることができる。したがって、裏紙への対応、用紙が長期間未使用になることの抑制、複数ページの印刷物における紙質の途中変異の抑制等を実現することができる。すなわち、適正な種類の用紙に印刷することが可能になる。
【図面の簡単な説明】
【０００９】
【図１】本発明の第１実施形態の画像形成装置の構成を示すブロック図である。
【図２】本発明の第１実施形態の画像形成装置の給紙カセットに対する用紙の収納状態を示す斜視図である。
【図３】本発明の第１実施形態の画像形成装置の用紙情報提示紙の一例を示す正面図である。
【図４】本発明の第１実施形態の画像形成装置の用紙情報提示紙の第１変形例を示す正面図である。
【図５】本発明の第１実施形態の画像形成装置の用紙情報提示紙の第２変形例を示す正面図である。
【図６】本発明の第１実施形態の画像形成装置の印刷処理の例を示すフローチャートである。
【図７】本発明の第１実施形態の画像形成装置の用紙選択処理の例を示すフローチャートである。
【図８】本発明の第２実施形態の画像形成装置の用紙補充処理の例を示すフローチャートである。
【発明を実施するための形態】
【００１０】
以下、本発明の実施形態を図に基づき説明する。なお、本発明は以下の内容に限定されるものではない。
【００１１】
＜第１実施形態＞
最初に、本発明の第１実施形態の画像形成装置について、図１を用いてその構造を説明する。図１は画像形成装置の構成を示すブロック図である。この画像形成装置はコピー（印刷）、スキャン（画像読取）、ファクシミリ送信等の複数の機能を備えた所謂複合機である。
【００１２】
画像形成装置１は、図１に示す制御部２０及び記憶部２３を備える。制御部２０はＣＰＵ２１、画像処理部２２、その他の不図示の電子回路や電子部品を含む。ＣＰＵ２１は記憶部２３に記憶された制御用のプログラムやデータに基づき、画像形成装置１に設けられた各構成要素の動作を制御して画像形成装置１の機能に係る処理を実行する。画像処理部２２は印刷や画像読取、送信に用いる画像データに対して画像処理を行う。記憶部２３は例えば不図示のプログラムＲＯＭ、データＲＯＭなどといった不揮発性の記憶装置と、ＲＡＭのような揮発性の記憶装置との組み合わせから成る。
【００１３】
画像形成装置１の上部には原稿搬送部３及び原稿画像読取部４が設けられる。ユーザーが画像形成装置１にコピージョブ、スキャンジョブを実行させる場合、文字や図形、模様などの画像が描かれた原稿を原稿搬送部３に積載したり、原稿や書籍を原稿画像読取部４の原稿読取台（不図示）の上に載置したりする。制御部２０は原稿搬送部３及び原稿画像読取部４に動作指示を与え、原稿に描かれた画像を読み取らせる。原稿画像読取部４が読み取った原画像の画像データは記憶部２３等に一時的に記憶される。
【００１４】
画像形成装置１の上部であって原稿画像読取部４の正面側には入力部である操作パネル５が設けられる。操作パネル５は表示部５ｗを含む。操作パネル５はユーザーが画像形成装置１にコピー（印刷）ジョブ、スキャン（画像読取）ジョブ、ファクシミリ送信ジョブを実行させる指令等を受け付ける。操作パネル５は、例えば印刷に使用する用紙の種類やサイズ、拡大縮小、両面印刷の有無といった印刷条件などの入力を受け付けたり、ファクシミリ送信におけるファックス番号や送信者名などの設定の入力を受け付けたりする。さらに、操作パネル５は、例えば装置の状態や注意事項、エラーメッセージなどを表示部５ｗに表示することによって、それらをユーザーに対して報知するための報知部としての役割も果たす。操作パネル５が受け付けた入力情報は制御部２０に送信される。
【００１５】
画像形成装置１は原稿画像読取部４より下方の部分に印刷ジョブを実行するための印刷部６を備える。印刷部６は給紙部７、用紙搬送部８、露光部９、画像形成部１０、転写部１１及び定着部１２を含む。給紙部７は複数の給紙カセット７ｓ各々に複数枚の印刷前の用紙を収容し、印刷時に用紙を送り出す。用紙搬送部８は給紙部７から送り出された用紙を搬送し、定着後の用紙を装置の外部に排出する。用紙搬送部８の各所には用紙の存在を検知する用紙検知センサ（不図示）が配置され、その用紙検知情報が制御部２０に送信される。露光部９は画像データに基づき制御されたレーザ光を画像形成部１０に向かって照射する。画像形成部１０は露光部９によって照射されたレーザ光により原稿画像の静電潜像を形成し、この静電潜像にトナーを付着させて現像してトナー像を形成する。転写部１１は画像形成部１０で形成したトナー像を用紙に転写する。定着部１２はトナー像が転写された用紙を加熱、加圧してトナー像を用紙に定着させる。このような印刷部６の印刷動作を制御部２０が制御する。
【００１６】
そして、画像形成装置１は、印刷に使用する用紙が裏紙である場合や、用紙が長期間未使用にされる場合、同一サイズの用紙として異なる紙質の用紙が積載される場合等に対応して、給紙カセット７ｓに収容された用紙の種類を詳細に把握することが可能な構成を有する。この構成について、図１に加えて図２〜図５を用いて説明する。図２は給紙カセット７ｓに対する用紙の収納状態を示す斜視図である。図３、図４及び図５は画像形成装置１の用紙情報提示紙の一例、第１変形例及び第２変形例を示す正面図である。
【００１７】
画像形成装置１は、図１及び図２に示す用紙情報提示紙７ｐ及び用紙情報読取部７ｒを備える。
【００１８】
用紙情報提示紙７ｐは給紙カセット７ｓに収容される用紙束Ｐｂの先頭（最上層）に積載される。図２に示すように、給紙カセット７ｓに収容される用紙束Ｐｂが複数である場合、用紙束Ｐｂ毎に、それら用紙束Ｐｂ各々の先頭（最上層）に個別に用紙情報提示紙７ｐが積載される。なお、用紙情報提示紙７ｐはユーザーの手によって用紙束Ｐｂの上に積載される。また、画像形成装置１は用紙情報提示紙７ｐ自体には印刷を実行しない。
【００１９】
用紙情報提示紙７ｐは、例えば画像形成装置１において給紙、搬送が可能な紙やフィルム状のシート材で構成される。用紙情報提示紙７ｐは自身の下方に積載された用紙束Ｐｂを構成する用紙に係る用紙情報を含む。用紙情報は、例えば後述する色７ｃ、画像７ｍまたはテキストデータ７ｔとして、用紙情報提示紙７ｐの所定の位置に提示される。
【００２０】
用紙情報としては、例えば用紙種類（例えば裏紙、新品の上質紙、コート紙等）、使用開始日、サイズ（例えばＡ４、Ｂ５等）など、多様な情報を含めることができる。使用開始日としては、例えば用紙束Ｐｂのパッケージを開封した日、用紙束Ｐｂを給紙カセット７ｓに収容した日などを定義することができる。
【００２１】
そして、用紙情報は、例えば図３に示すように用紙情報提示紙７ｐの色７ｃによって提示される。用紙情報を表す用紙情報提示紙７ｐの色７ｃは用紙情報提示紙７ｐの前面にわたって構成しても良いし、一部に構成しても良い。
【００２２】
また、用紙情報は、例えば図４に示すように用紙情報提示紙７ｐに描画された画像７ｍによって提示される。用紙情報を表す画像７ｍは、例えばＱＲコード（登録商標）に代表される二次元コードである。また、用紙情報を表す画像を、例えばバーコードに代表される一次元コードで形成しても良い。また、用紙情報を表す画像として、例えば円や多角形、星形、その他の図形等を組み合わせた画像を形成しても良い。
【００２３】
また、用紙情報は、例えば図５に示すように用紙情報提示紙７ｐに記載されたテキストデータ７ｔによって提示される。用紙情報を表すテキストデータ７ｔは文字または記号の少なくとも一方で構成される。さらに、用紙情報を表すテキストデータは、図５に示すような任意の文字、記号の羅列ではなく、実際の用紙情報自体を文字、記号を用いて記載しても良い。
【００２４】
用紙情報読取部７ｒは給紙カセット７ｓの上方に設けられる。用紙情報読取部７ｒは給紙カセット７ｓの用紙情報提示紙７ｐの上側の一面に面する。用紙情報読取部７ｒは用紙情報提示紙７ｐの色７ｃ、画像７ｍまたはテキストデータ７ｔが読み取り可能な位置に配置される。用紙情報読取部７ｒは、例えばラインセンサー、イメージセンサーで構成され、用紙情報提示紙７ｐが提示する色７ｃ、画像７ｍ、テキストデータ７ｔから成る用紙情報を読み取る。用紙情報読取部７ｒが読み取った用紙情報は、制御部２０によって判別される。
【００２５】
なお、用紙情報読取部７ｒは、給紙カセット７ｓよりも用紙搬送方向下流側の用紙搬送部８に設けても良い。
【００２６】
続いて、画像形成装置１による印刷処理の一例について、図６及び図７に示すフローに沿って説明する。図６は画像形成装置１の印刷処理の例を示すフローチャートである。図７は画像形成装置１の用紙選択処理の例を示すフローチャートである。
【００２７】
画像形成装置１においてユーザーから印刷機能の使用を受け付けると、印刷動作が開始される（図６のスタート）。
【００２８】
ステップ＃１０１では、印刷条件の入力をユーザーから受け付ける。ユーザーは印刷に使用する用紙の種類やサイズ、拡大縮小、両面印刷の有無などといった印刷条件を操作パネル５を介して入力する。
【００２９】
ステップ＃１０２では、制御部２０が用紙情報読取部７ｒに対して用紙情報提示紙７ｐが提示する用紙情報の読み取りを実行させる。給紙部７が複数の給紙カセット７ｓを有する場合、用紙情報の読み取りはすべての給紙カセット７ｓの用紙情報読取部７ｒに対して実行される。
【００３０】
ステップ＃１０３では、制御部２０が、給紙カセット７ｓに用紙情報提示紙７ｐがあるか否かを判定する。用紙情報提示紙７ｐがない場合はステップ＃１０４に移行する。用紙情報提示紙７ｐがある場合はステップ＃１０５に移行する。
【００３１】
ステップ＃１０４では、制御部２０が、用紙情報提示紙７ｐが給紙カセット７ｓにないことを表示部５ｗに表示させ、その旨を報知させる。そして、制御部２０は印刷処理を終了する（図６のエンド）。
【００３２】
ステップ＃１０５では、制御部２０が、用紙情報読取部７ｒが読み取った用紙情報に基づいて、ユーザーが入力した印刷条件と同一種類の用紙が給紙カセット７ｓにあるか否かを判定する。同一種類の用紙がない場合はステップ＃１０６に移行する。同一種類の用紙がある場合はステップ＃１０７に移行する。
【００３３】
ステップ＃１０６では、制御部２０が、ユーザーが入力した印刷条件と同一種類の用紙が給紙カセット７ｓにないことを表示部５ｗに表示させ、その旨を報知させる。そして、制御部２０は印刷処理を終了する（図６のエンド）。
【００３４】
ステップ＃１０７では、制御部２０が、印刷に使用する用紙の選択に係る処理を行う。この用紙選択処理については、図７のフローに移行し、図７を用いて説明する。
【００３５】
図７のステップ＃２０１では、制御部２０が、ユーザーが入力した印刷条件と同一種類の用紙を収容する給紙カセット７ｓが複数存在するか否かを判定する。給紙カセット７ｓが複数存在する場合はステップ＃２０２に移行する。給紙カセット７ｓが複数存在しない場合はステップ＃２０３に移行する。
【００３６】
ステップ＃２０２では、制御部２０が、同一種類の用紙を収容する複数の給紙カセット７ｓ各々の用紙の使用開始日を比較する。そして、制御部２０は使用開始日が最も古い用紙束Ｐｂの用紙から順に、給紙部７から送り出す設定を行う。
【００３７】
ステップ＃２０３では、制御部２０が、ユーザーが入力した印刷条件に両面印刷が含まれるか否かを判定する。両面印刷が含まれる場合はステップ＃２０４に移行する。両面印刷が含まれない場合は用紙選択処理を終了し（図７のエンド）、図６のフローに戻る。
【００３８】
ステップ＃２０４では、制御部２０が、裏紙という用紙情報を含む用紙情報提示紙が積載された用紙束Ｐｂの用紙を不使用とし、給紙部７から送り出さない設定を行う。そして、用紙選択処理を終了し（図７のエンド）、図６のフローに戻る。
【００３９】
図６のステップ＃１０８では、ユーザーが入力した印刷条件と同一種類の用紙を収容する給紙カセット７ｓにおいて、制御部２０が給紙部７に用紙情報提示紙７ｐを送り出させて、排出させる。用紙情報提示紙７ｐには印刷が実行されず、そのまま用紙排出トレイ（不図示）に排出される。
【００４０】
このとき、用紙情報提示紙７ｐを、ユーザーが所望する印刷物とは異なる用紙排出トレイに排出することが好ましい。また、排出された用紙情報提示紙７ｐは、当該印刷ジョブの終了後、ユーザーの手によって給紙カセット７ｓの用紙束Ｐｂの上に戻される。
【００４１】
ステップ＃１０９では、制御部２０が印刷部６に印刷を実行させる。
【００４２】
ステップ＃１１０では、制御部２０が、印刷が最終ページであるか否かを判定する。最終ページである場合は印刷処理が終了される（図６のエンド）。最終ページではない場合はステップ＃１１１に移行する。
【００４３】
ステップ＃１１１では、制御部２０が、同一種類の用紙が同じ給紙カセット７ｓの内部にまだ残っているか否かを判定する。用紙がまだある場合はステップ＃１０９に戻って、印刷が繰り返される。用紙がもうない場合はステップ＃１０５に戻って、同一種類の用紙が他の給紙カセット７ｓにあるか否かが判定される。
【００４４】
上記第１実施形態のように、画像形成装置１は印刷部６、給紙部７、用紙情報提示紙７ｐ、用紙情報読取部７ｒ及び制御部２０を備える。印刷部６は印刷を実行する。給紙部７は印刷前の用紙を収容する。用紙情報提示紙７ｐは給紙部７に収容される用紙束Ｐｂの先頭に積載されてその用紙束Ｐｂを構成する用紙に係る用紙情報を含む。用紙情報読取部７ｒは用紙情報提示紙７ｐが提示する用紙情報を読み取る。制御部２０は用紙情報読取部７ｒが読み取った用紙情報に基づいて給紙部７からの用紙の送り出しを制御する。
【００４５】
この構成によると、用紙情報提示紙７ｐが提示する用紙情報から、用紙情報提示紙７ｐに続く用紙束Ｐｂの用紙種類を把握することができる。これにより、例えば用紙束Ｐｂが裏紙であることや、用紙束Ｐｂの使用開始日を知ることができる。したがって、裏紙への対応、用紙が長期間未使用になることの抑制、複数ページの印刷物における紙質の途中変異の抑制等を実現することができる。すなわち、適正な種類の用紙に印刷することが可能になる。
【００４６】
また、制御部２０は、用紙情報提示紙７ｐが積載された用紙束Ｐｂの用紙が印刷のために選択された場合に、用紙情報提示紙７ｐ自体には印刷を実行させず、排出させる。
【００４７】
この構成によると、ユーザーは所望する印刷データが用紙情報提示紙７ｐに印刷されてしまうことを防止することができる。したがって、印刷物を適正に生成することが可能である。また、例えば裏紙や新品の上質紙などといった用紙種類を表す用紙情報提示紙７ｐの場合、用紙情報提示紙７ｐを再利用することが可能になる。
【００４８】
そして、用紙情報が用紙情報提示紙７ｐの色７ｃによって提示されるので、用紙情報を簡便な構成で用紙情報提示紙７ｐに保持させることができる。したがって、用紙情報提示紙７ｐの形成が容易になる。
【００４９】
また、用紙情報が用紙情報提示紙７ｐに描画された二次元コード等の画像７ｍによって提示される。さらに、用紙情報が用紙情報提示紙７ｐに記載されたテキストデータ７ｔによって提示される。
【００５０】
これらの構成によると、二次元コードや一次元コード、図形、文字、記号などを用いて、多様な情報を用紙情報として含めることが可能になる。したがって、多様な用紙への印刷に対応することができる。
【００５１】
また、用紙情報が裏紙という用紙種類を含み、例えば両面印刷を実行する場合に、制御部２０は、裏紙という用紙情報を含む用紙情報提示紙７ｐが積載された用紙束Ｐｂの用紙を、給紙部７から送り出さない。
【００５２】
この構成によると、両面印刷における裏紙の使用を防止することができる。したがって、印刷ミスを抑制することができ、印刷時間及びランニングコストの増加を抑制することが可能になる。
【００５３】
また、用紙情報が用紙の使用開始日を含み、用紙の使用開始日という用紙情報を含む用紙情報提示紙７ｐが積載された同一種類の用紙束Ｐｂが複数存在する場合に、制御部２０は、それらの用紙の使用開始日を比較し、使用開始日が最も古い用紙束Ｐｂの用紙から順に、給紙部７から送り出す。
【００５４】
この構成によると、用紙の使用状況を容易に管理することができるようになる。したがって、用紙が長期間未使用になることの抑制、複数ページの印刷物における紙質の途中変異の抑制等を実現することが可能になる。
【００５５】
＜第２実施形態＞
次に、本発明の第２実施形態の画像形成装置について、図８を用いて説明する。図８は画像形成装置の用紙補充処理の例を示すフローチャートである。なお、この実施形態の基本的な構成は先に説明した第１実施形態と同じであるので、第１実施形態と共通する構成要素には前と同じ符号または同じ名称を付してその説明を省略する場合がある。
【００５６】
第２実施形態の画像形成装置１は、給紙カセット７ｓに対して用紙を補充するときに、給紙部７に設けられた用紙情報読取部７ｒが、用紙情報提示紙７ｐが提示する用紙情報を読み取る。給紙カセット７ｓが画像形成装置１の本体に対して収納されるときに、用紙情報読取部７ｒは給紙カセット７ｓの最上層の用紙情報提示紙７ｐから用紙情報を読み取る。この用紙情報は記憶部２３等に記憶される。
【００５７】
給紙を繰り返す過程で給紙カセット７ｓの内部の用紙束Ｐｂの用紙種類が変わり、新たに用紙情報提示紙７ｐが出現する場合については、その都度、用紙情報読取部７ｒが新たな用紙情報提示紙７ｐから用紙情報を読み取るようにしておくことが好ましい。
【００５８】
第２実施形態の画像形成装置１の用紙補充処理が開始されると（図８のスタート）、ステップ＃３０１において、ユーザーが給紙カセット７ｓに用紙を補充する。ユーザーは給紙カセット７ｓの内部に用紙束Ｐｂを載置し、その先頭（最上層）に用紙情報提示紙７ｐを積載する。そして、ユーザーは給紙カセット７ｓを画像形成装置１の本体に押し込んで収納する。
【００５９】
ステップ＃３０２では、制御部２０が、ユーザーが画像形成装置１の本体に収納した給紙カセット７ｓに対して設けられた用紙情報読取部７ｒに、用紙情報提示紙７ｐが提示する用紙情報の読み取りを実行させる。
【００６０】
ステップ＃３０３では、制御部２０が、給紙カセット７ｓに用紙情報提示紙７ｐがあるか否かを判定する。用紙情報提示紙７ｐがある場合はステップ＃３０４に移行する。用紙情報提示紙７ｐがない場合はステップ＃３０５に移行する。
【００６１】
ステップ＃３０４では、制御部２０が、用紙情報を記憶部２３等に記憶させる。そして、制御部２０は用紙補充処理を終了する（図８のエンド）。
【００６２】
ステップ＃３０５では、制御部２０が、用紙情報提示紙７ｐが給紙カセット７ｓにないことを表示部５ｗに表示させ、その旨を報知させる。そして、制御部２０は用紙補充処理を終了する（図８のエンド）。
【００６３】
上記第２実施形態の構成によると、画像形成装置１の本体への給紙カセット７ｓの収納とともに、給紙カセット７ｓに収容された用紙束Ｐｂの用紙種類を把握することができる。これにより、後に印刷処理を実行するときに、印刷を迅速に開始することが可能になる。したがって、裏紙への対応、用紙が長期間未使用になることの抑制等の実現に加えて、印刷の利便性を向上させることが可能である。
【００６４】
以上、本発明の実施形態につき説明したが、本発明の範囲はこれに限定されるものではなく、発明の主旨を逸脱しない範囲で種々の変更を加えて実施することができる。
【産業上の利用可能性】
【００６５】
本発明は画像形成装置において利用可能である。
【符号の説明】
【００６６】
１    画像形成装置
５    操作パネル
５ｗ    表示部
６    印刷部
７    給紙部
７ｐ    用紙情報提示紙
７ｒ    用紙情報読取部
７ｓ    給紙カセット
２０    制御部
２３    記憶部
Ｐｂ    用紙束
【図１】
2018183908.tif 000003
【図２】
2018183908.tif 000004
【図３】
2018183908.tif 000005
【図４】
2018183908.tif 000006
【図５】
2018183908.tif 000007
【図６】
2018183908.tif 000008
【図７】
2018183908.tif 000009
【図８】
2018183908.tif 000010